【事件の表示】
　特願２０１７−１４１２８８「携帯端末」拒絶査定不服審判事件〔平成３１年　２月　７日出願公開、特開２０１９−　２１２１５、請求項の数（６）〕について、次のとおり審決する。
【結　論】
　原査定を取り消す。
　本願の発明は、特許すべきものとする。
【理　由】
第１　手続の経緯
　本願は、平成２９年７月２０日の出願であって、令和元年８月２９日付けの拒絶理由に対し、同年９月５日に意見書が提出されるとともに手続補正がなされたが、同年１１月６日付けで拒絶査定がなされ、これに対して令和２年１月９日に拒絶査定不服の審判請求がなされると同時に手続補正がなされたものである。
　
第２　原査定の理由の概要
　原査定（令和元年１１月６日付け拒絶査定）の概要は次のとおりである。
１．（新規性）この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
２．（進歩性）この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
●理由１（新規性）、理由２（進歩性）について
・請求項　１、５
・引用文献等　１
　
・請求項　１、３
・引用文献等　２
　　
●理由２（進歩性）について
・請求項　２−３
・引用文献等　１
・請求項　２
・引用文献等　２、１
　
・請求項　４−６
・引用文献等　１−３
　
　　　　　　　　　　　　＜引用文献等一覧＞
１.特開２０１０−２７７５０８号公報
２.特開２００９−２８２７６１号公報
３.特開２０１１−１０７８２４号公報（周知技術を示す文献）
第３　本願発明
　本願の請求項１−６に係る発明は、令和２年１月９日付けの手続補正により補正された特許請求の範囲の請求項１−６に記載された事項により特定される発明であり、本願の請求項１−６に係る発明（以下、それぞれ「本願発明１」−「本願発明６」という。）は、以下のとおりの発明である。
「【請求項１】
　盛上り部を有し、所定の把握態様でユーザの手により把握可能なグリップ部と、
　端末本体の第１の面側に位置するように且つ前記盛上り部における斜面から少なくとも被押圧部が露出するように設けられ、前記把握態様でユーザが前記グリップ部を把握した手の示指によって操作可能な第１スイッチ部と、
　前記第１の面に対して反対側に位置する前記端末本体の第２の面から少なくとも被押圧部が露出するように設けられ、前記把握態様でユーザが把握した手の母指によって操作可能な第２スイッチ部と、
を備え、
　前記被押圧部に対して必要な操作力感が、前記第２スイッチ部よりも前記第１スイッチ部の方が大きくなるように設定されており、
　前記第１スイッチ部における前記被押圧部が、前記斜面に対して同一面または凹んだ位置に露出するように配置されている、
ことを特徴とする携帯端末。
【請求項２】
　請求項１に記載の携帯端末において、
　前記端末本体の側面から少なくとも被押圧部が露出するように前記端末本体の両側に設けられた側面スイッチ部を備え、
　前記被押圧部に対して必要な操作力感が、前記側面スイッチ部よりも前記第１スイッチ部の方が大きくなるように設定されている、
ことを特徴とする携帯端末。
【請求項３】
　端末本体の表面から少なくとも被押圧部が露出するように、前記端末本体の表面に複数の表面スイッチ部が設けられた携帯端末であって、
　ユーザが一方の手の母指を当該端末本体の表面に被せ当該端末本体の脇側から延ばした少なくとも示指と中指とで当該端末本体の裏面を支えるような把握態様で、前記一方の手により把握可能なグリップ部と、
　前記裏面に設けられた盛上り部の斜面から被押圧部が露出するように設けられ、前記把握態様のときに前記一方の手の示指によって操作可能な下面スイッチ部と、
を備え、
　前記被押圧部に対して必要な操作力感が、前記複数の表面スイッチ部のそれぞれよりも前記下面スイッチ部の方が大きくなるように設定されており、
　前記下面スイッチ部における前記被押圧部が、前記斜面に対して同一面または凹んだ位置に露出するように配置されている、
ことを特徴とする携帯端末。
【請求項４】
　請求項１〜請求項３のいずれかに記載の携帯端末において、
　前記被押圧部に対して必要な操作荷重を前記スイッチ部間で異ならせることにより、前記必要な操作力感が前記スイッチ部間で異なるように構成されている、
ことを特徴とする携帯端末。
【請求項５】
　請求項１〜請求項４のいずれかに記載の携帯端末において、
　前記被押圧部に対して必要な操作ストロークを前記スイッチ部間で異ならせることにより、前記必要な操作力感が前記スイッチ部間で異なるように構成されている、
ことを特徴とする携帯端末。
【請求項６】
　請求項１〜請求項５のいずれかに記載の携帯端末において、
　前記被押圧部が押圧された際のクリック感を前記スイッチ部間で異ならせることにより、前記必要な操作力感が前記スイッチ部間で異なるように構成されている、
ことを特徴とする携帯端末。」
第４　引用文献
１．引用文献１、引用発明１
（１）原査定の拒絶理由に引用された上記引用文献１には、図面とともに次の事項が記載されている。（下線は当審で付与した。以下、同様。）
「【００１６】
　図２〜図５は、操作デバイス１０の外観を示す図であって、図２は操作デバイス１０の正面図、図３は正面側から見た斜視図、図４は背面側から見た斜視図、図５は右側面図である。また、図６は操作デバイス１０を図２におけるＶＩ−ＶＩ線で切断した様子を示す断面図である。これらの図に示されるように、
操作デバイス１０は、本体部１１及び発光部１２を備え、
【００１７】
　本体部１１は、全体として円柱状に形成されており、その一端に発光部１２が取り付けられている。
本体部１１を構成する円柱の側面は、長手方向の中心部近傍に近づくにつれて内側に向かって緩やかに湾曲し
本体部１１の中心近傍の部分は、両端部分と比較して細くなっている
本体部１１の両端には、中心近傍の部分より外側に突出した張り出し部１１ａ及び１１ｂがそれぞれ形成され
「【００２１】
　
本体部１１の筐体表面には、メインボタン１３、アナログボタン１５、補助ボタン１６ａ〜１６ｄ、スタートボタン１７、セレクトボタン１８、及び電源ボタン１９が配置され
【００２２】
　
メインボタン１３は、操作デバイス１０の正面側において、ユーザが操作デバイス１０を手で把持する際に親指を置く位置に配置
本体部１１の正面に形成された凹部１４の底面内に配置されており、その上面は、凹部１４の側面を形成する縁部１４ａに隣接し
すなわち、メインボタン１３の上面は、隣接する縁部１４ａと連続するように形成されており、凹部１４の周囲の本体部１１表面より凹んだ位置にある
【００２３】
　凹部１４は、操作デバイス１０正面から見て、四隅が丸くなった略矩形の形状をしており、その長手方向（すなわち矩形の長辺方向）が操作デバイス１０の長手方向と一致してる。また、矩形の短辺は人の親指の幅に応じた長さになっており、凹部１４内に親指を置きやすいようになっている。凹部１４の側面は、すり鉢状に凹部１４の外側に向けて傾斜した斜面になっていてもよい。
【００２４】
　なお、メインボタン１３を含む各ボタンは、電源ボタン１９を除いて、本体部１１の側面のうち、凹部１４の上端（発光部１２側の端）の高さから下端（底面側の端）の高さまでの範囲を占める筒状の領域内に配置されている。
ユーザは、本体部１１の中心近傍の細くなった部分を、主として手のひらと中指、薬指、及び小指によって把持する
親指及び人差し指で、この中心近傍の部分と発光部１２の間の筒状の領域に配置された各ボタンを操作する
【００２５】
　
アナログボタン１５は、操作デバイス１０の背面側（すなわち、メインボタン１３が配置されている側と反対側）に、メインボタン１３と対向するように配置され
ユーザは、
本体部１１の中心近傍の部分を把持して、メインボタン１３に親指を乗せるとともに、人差し指をこのアナログボタン１５に乗せ
親指と人差し指とは本体部１１を挟んで互いに向き合う状態になる
ユーザは、親指でメインボタン１３を、人差し指でアナログボタン１５を、それぞれ押下することによって操作入力を行う
【００２６】
　
さらに、アナログボタン１５は、単にユーザがボタンを押しているか押していないかを示す二値の情報を出力するのではなく、ユーザがどの程度の量だけ当該ボタンを押し込んでいるかを検知し、この押し込み量を示す情報を出力可能になっている
ユーザは、アナログボタン１５を浅く押さえたり深く押し込んだりすることによって、量的な情報を入力することができる
このような押し込み量に応じた操作入力を可能とするために、アナログボタン１５は、メインボタン１３と比較して可動範囲が大きくなっており、最後まで押し込むためにはメインボタン１３より大きなストローク量が必要になっている
【００２７】
　ユーザがメインボタン１３に親指を乗せて操作デバイス１０を把持する場合、仮にメインボタン１３が本体部１１の表面から突出していたとすると、ユーザは意図せずに誤ってメインボタン１３を親指で押してしまう可能性が高くなる。特に本実施形態では、前述の通りユーザは発光部１２が発光した状態で操作デバイス１０そのものを動かすことによって操作入力を行う場合がある。そのため、このような操作を行う際に、誤ってメインボタン１３を押してしまうおそれがある。また、前述の通り、本体部１１を把持する際に、ユーザの親指と人差し指は互いに向き合うように本体部１１の表面に置かれる。そして、本実施形態では、人差し指が置かれる位置にもボタン（アナログボタン１５）が設けられている。しかも、このアナログボタン１５は、前述の通り押し込み量に応じた操作入力を行うためのデバイスなので、常に軽い力だけで操作することはできず、強い力で押下したい場合もある。そのため、ユーザがアナログボタン１５を操作しようとすると、無意識に親指にも力を入れてしまい、メインボタン１３を誤って押してしまうおそれがある。
【００２８】
　そこで本実施形態では、前述したように、凹部１４の底面内に、上面が縁部１４ａと隣接するようにメインボタン１３を配置している。ユーザが操作デバイス１０を把持する際には、親指を縁部１４ａにかけるようにして、メインボタン１３と縁部１４ａとが隣接する箇所にまたがって親指を乗せる。図７は、このようにしてユーザが本体部１１を把持している様子を示す図である。このように本体部１１を把持することにより、ユーザは、アナログボタン１５を押下する際には、縁部１４ａ側に向けて親指に力を入れることで、メインボタン１３を誤って操作することなくアナログボタン１５を任意の力加減で操作することができる。また、メインボタン１３上に親指が置かれているので、メインボタン１３を操作するときには指を大きく移動させる必要がない。
【００２９】
　特に、ユーザが凹部１４の長手方向に沿って親指を置く場合、メインボタン１３を操作する際の親指の動きもこの長手方向に沿ったものになるので、凹部１４の側面のうち、凹部１４の長手方向に向けられた面（すなわち、矩形の短辺に沿った面）が、ユーザの親指が乗せられる縁部１４ａとして機能する。なお、前述したように縁部１４ａが凹部１４の外側に向けて開いた斜面になっていれば、ユーザは縁部１４ａ及びメインボタン１３上に指を乗せやすくなる。また、本実施形態ではメインボタン１３の上面と縁部１４ａとは連続的に形成されているが、ユーザがメインボタン１３から縁部１４ａにまたがって親指を乗せられる程度に両者が隣接していれば、両者の間に隙間があってもよい。
【００３０】
　
凹部１４の周囲には、メインボタン１３を取り囲むように４個の補助ボタン１６ａ〜１６ｄが配置され
【００３１】
　なお、凹部１４の下端（ユーザが把持する部分に近い側の端）に対応する位置に配置された補助ボタン１６ｃ及び１６ｄは、ユーザが把持する部分から遠い側の端に対応する位置に配置された補助ボタン１６ａ及び１６ｂに対して、凹部１４から比較的近い位置に配置されている。これにより、ユーザは、例えば補助ボタン１６ａを操作するときも補助ボタン１６ｃを操作するときも、メインボタン１３から同程度親指を傾けることでこれらのボタンを操作することができる。
【００３２】
　
スタートボタン１７及びセレクトボタン１８は、
それぞれ本体部１１の右側面又は左側面に配置され
【００３３】
　また、スタートボタン１７及びセレクトボタン１８の上端は、いずれもメインボタン１３及びアナログボタン１５の上端と高さが略一致している。これにより、ボタンが配置された筒状の領域の上端に沿って、メインボタン１３、アナログボタン１５、補助ボタン１６ａ及び１６ｂ、スタートボタン１７、並びにセレクトボタン１８の上端が略直線状に並んでいる。そのため、ユーザは、本体部１１を手のひらの上で回転させたり、あるいは親指や人差し指を大きく動かしたりすることで、補助ボタン１６ａや１６ｂの場合と同様に、直接目でボタンの位置を確かめなくともスタートボタン１７やセレクトボタン１８を操作できる。
【００３４】
　電源ボタン１９は、本体部１１の正面のうち、メインボタン１３が配置された位置よりも下方に配置されている。この電源ボタン１９は、操作デバイス１０の電源をオンにしてその動作を開始させたり、電源をオフにしてその動作を終了させたりするために用いられる。すなわち、他のボタンと異なり、電源ボタン１９は、アプリケーションプログラム等の実行中には操作されることがない。」
「【００３６】
　なお、前述したように
本体部１１はその中央近傍が内側に向かって湾曲しており、両端に張り出し部１１ａ及び１１ｂが形成され
操作デバイス１０を横向きに床面に置いたときには、この張り出し部１１ａ及び１１ｂの箇所が床面に接し、その間の部分は直接床面には触れないようになっている
【００３７】
　以上説明した本実施形態によれば、
ユーザが操作デバイス１０を親指とその他の指で挟んで把持する場合に、メインボタン１３やアナログボタン１５の上に指を置いて把持することで、これらのボタンを操作するたびに指を大きく動かす必要がなく、容易に操作することができ
メインボタン１３を凹部１４内においてその側面を形成する縁部１４ａと隣接するように配置したので、ユーザがメインボタン１３上に指を置いて操作デバイス１０を把持しても、ユーザが誤ってメインボタン１３を操作してしまわないようにすることができる
【００３８】
　なお、以上の説明においては、親指で操作するメインボタン１３を凹部１４内に配置することとしたが、これに限らず、他の指で操作されるボタンを操作デバイス１０の筐体表面に形成された凹部内に配置することとしてもよい。」　
（２）上記記載より、引用文献１には次の発明（以下、「引用発明１」という。）が記載されているといえる。
〈引用発明１〉
「操作デバイス１０は、本体部１１及び発光部１２を備え、
　本体部１１を構成する円柱の側面は、長手方向の中心部近傍に近づくにつれて内側に向かって緩やかに湾曲し、本体部１１の中心近傍の部分は、両端部分と比較して細くなっており、本体部１１の両端には、中心近傍の部分より外側に突出した張り出し部１１ａ及び１１ｂがそれぞれ形成され、
　本体部１１の筐体表面には、メインボタン１３、アナログボタン１５、補助ボタン１６ａ〜１６ｄ、スタートボタン１７、セレクトボタン１８、及び電源ボタン１９が配置され、
　ユーザは、本体部１１の中心近傍の細くなった部分を、主として手のひらと中指、薬指、及び小指によって把持し、親指及び人差し指で、この中心近傍の部分と発光部１２の間の筒状の領域に配置された各ボタンを操作し、
　メインボタン１３は、操作デバイス１０の正面側において、ユーザが操作デバイス１０を手で把持する際に親指を置く位置に配置され、本体部１１の正面に形成された凹部１４の底面内に配置されており、その上面は、凹部１４の側面を形成する縁部１４ａに隣接し、すなわち、メインボタン１３の上面は、隣接する縁部１４ａと連続するように形成されており、凹部１４の周囲の本体部１１表面より凹んだ位置にあり、
　アナログボタン１５は、操作デバイス１０の背面側（すなわち、メインボタン１３が配置されている側と反対側）に、メインボタン１３と対向するように配置され、ユーザは、本体部１１の中心近傍の部分を把持して、メインボタン１３に親指を乗せるとともに、人差し指をこのアナログボタン１５に乗せ、親指と人差し指とは本体部１１を挟んで互いに向き合う状態になり、ユーザは、親指でメインボタン１３を、人差し指でアナログボタン１５を、それぞれ押下することによって操作入力を行い、
　さらに、アナログボタン１５は、単にユーザがボタンを押しているか押していないかを示す二値の情報を出力するのではなく、ユーザがどの程度の量だけ当該ボタンを押し込んでいるかを検知し、この押し込み量を示す情報を出力可能になっていて、ユーザは、アナログボタン１５を浅く押さえたり深く押し込んだりすることによって、量的な情報を入力することができ、このような押し込み量に応じた操作入力を可能とするために、アナログボタン１５は、メインボタン１３と比較して可動範囲が大きくなっており、最後まで押し込むためにはメインボタン１３より大きなストローク量が必要になっており、
　凹部１４の周囲には、メインボタン１３を取り囲むように４個の補助ボタン１６ａ〜１６ｄが配置され、
　スタートボタン１７及びセレクトボタン１８は、それぞれ本体部１１の右側面又は左側面に配置され、
　本体部１１はその中央近傍が内側に向かって湾曲しており、両端に張り出し部１１ａ及び１１ｂが形成され、操作デバイス１０を横向きに床面に置いたときには、この張り出し部１１ａ及び１１ｂの箇所が床面に接し、その間の部分は直接床面には触れないようになっており、
　ユーザが操作デバイス１０を親指とその他の指で挟んで把持する場合に、メインボタン１３やアナログボタン１５の上に指を置いて把持することで、これらのボタンを操作するたびに指を大きく動かす必要がなく、容易に操作することができ、メインボタン１３を凹部１４内においてその側面を形成する縁部１４ａと隣接するように配置したので、ユーザがメインボタン１３上に指を置いて操作デバイス１０を把持しても、ユーザが誤ってメインボタン１３を操作してしまわないようにすることができる、
操作デバイス１０。」
２．引用文献２、引用発明２
（１）原査定の拒絶理由に引用された上記引用文献２には、図とともに次の事項が記載されている。
「【００１２】
　図１（Ａ）〜（Ｃ）に示す
光学的情報読取装置１０は、
裏側ケース１２および表側ケース１３からなる外装ケース（以下、装置本体ともいう）１１内にコードリーダを構成するための各種電気部品（光源、レンズ、受光センサ、記憶手段、制御回路等）が収容され
【００１３】
　また、
外装ケース１１は、操作者に把持される把持部１４と、液晶表示器１５ａが取り付けられる液晶部１５と、読取口１６ａが設けられる読取部１６とを備え
【００１４】
　
裏側ケース１２の反操作者側面（以下、裏面１２ａともいう）には、
押圧操作される読取操作キーであるトリガーキー２１が設けられ
【００１５】
　このように、トリガーキー２１を裏面１２ａに設けることにより、読取操作キーとして機能するサイドトリガーキー用の開口部を外装ケース１１の側面、すなわち、裏側ケース１２と表側ケース１３との嵌合部分に形成するための中子が不要となる。このため、サイドトリガーキーを設ける場合と比較して、裏側ケース１２および表側ケース１３を成形する金型の構造が簡単になり、製造コストの低減を図ることができる。
【００１６】
　
このトリガーキー２１の把持部側部位２１ａは、装置本体１１を把持部１４の裏面１２ａを下方にして作業台等に置いたときにこの作業台等に接触しない程度に裏面１２ａから外方に突出するように形成され
装置本体１１を作業台等に置いたときのトリガーキー２１の誤操作を防止することができ
操作者は、トリガーキー２１をその把持部側部位２１ａに人差し指等を掛けた状態で押圧操作することができるので、トリガーキー２１の操作性を向上させることができ
【００１７】
　
トリガーキー２１の押圧操作に応じて装置本体１１に作用する押圧力の作用線上であって表側ケース１３の操作者側面（以下、表面１３ａともいう）には、円柱状の突出部３０が上方に突出するように形成され
この突出部３０の頂面３１の中央には、
当該頂面３１から上方に突出するように凸部３２が形成され
【００１８】
　
また、表面１３ａ上であって、突出部３０の周辺や把持部１４には、読取対象の情報や当該光学的情報読取装置１０の操作に関する情報を入力可能な十字キー２２およびファンクションキー２３や数字情報を入力可能なテンキー２４等、情報を入力する際に操作される複数の情報入力キーが設けられ
【００１９】
　ここで、突出部３０を設けた理由について、図３を参照して説明する。
　図３に示すように、突出部３０は、トリガーキー２１の押圧操作に応じて装置本体１１に作用する押圧力の作用線Ｌ上であって、表面１３ａ上に配置されている。これは、把持部１４を把持した操作者がトリガーキー２１を人差し指Ｆ１等で押圧操作する際に突出部３０を親指Ｆ２等で支えることにより、押圧操作により装置本体１１に作用する押圧力を、突出部３０を押さえる親指Ｆ２等で確実に受けるためである。これにより、トリガーキー２１の押圧操作による装置本体１１のぶれを抑制することができる。
【００２０】
　特に、突出部３０の頂面３１の中央には、凸部３２が形成されているので、突出部３０を目視することなく突出部３０の頂面３１の凸部３２に触れるだけで突出部３０の位置を認識することができる。
【００２１】
　以上説明したように、本実施形態に係る光学的情報読取装置１０では、装置本体１１の裏面１２ａに設けられるトリガーキー２１の押圧操作に応じて装置本体１１に作用する押圧力の作用線Ｌ上であって、装置本体１１の表面１３ａに当該表面１３ａからの高さが十字キー２２およびファンクションキー２３等の複数の情報入力キーよりも高くなるように形成された突出部３０が設けられている。
【００２２】
　このため、
装置本体１１の把持部１４を把持した操作者が、装置本体１１の裏面１２ａのトリガーキー２１を人差し指Ｆ１等で押圧操作する際に装置本体１１の表面１３ａの突出部３０を親指Ｆ２等で支えることにより、押圧操作により装置本体１１に作用する押圧力を、突出部３０を支える親指Ｆ２等で確実に受けることができ
特に、突出部３０は、同じ表面１３ａ上に設けられる十字キー２２およびファンクションキー２３等よりも高く形成されているので、突出部３０を支える親指Ｆ２等がこれら各キー２２，２３に触れることによる誤入力を確実に防止することができる
　したがって、装置本体１１の裏面１２ａに設けられるトリガーキー２１の押圧操作による装置本体１１のぶれを抑制することができる。
【００２３】
　また、本実施形態に係る光学的情報読取装置１０では、突出部３０の頂面３１の中央には、当該頂面３１から上方に突出するように凸部３２が設けられている。これにより、突出部３０を目視することなく突出部３０の頂面３１の凸部３２に触れるだけで突出部３０の位置を認識することができる。
【００２４】
　なお、本発明は上記実施形態に限定されるものではなく、以下のように具体化してもよ、その場合でも、上記実施形態と同等の作用・効果が得られる。
（１）突出部３０の頂面３１の中央には、凸部３２に代えて凹部が形成されてもよい。このようにしても、突出部３０を目視することなく突出部３０の頂面３１の凹部に触れるだけで突出部３０の位置を認識することができる。また、凸部３２または凹部は、頂面３１の中央に形成されることに限らず、例えば、頂面３１の周縁部に形成されてもよい。
【００２５】
（２）トリガーキー２１は、裏面１２ａから外方に突出するように形成されることに限らず、通常、当該トリガーキー２１の外側面が周辺の裏面１２ａと同一平面上に位置し、押圧操作に応じてその外側面が内方に押し込まれるように形成されてもよい。」
（２）上記記載より、引用文献２には次の発明（以下、「引用発明２」という。）が記載されているといえる。
〈引用発明２〉
「光学的情報読取装置１０は、裏側ケース１２および表側ケース１３からなる外装ケース（以下、装置本体ともいう）１１内にコードリーダを構成するための各種電気部品（光源、レンズ、受光センサ、記憶手段、制御回路等）が収容され、
　外装ケース１１は、操作者に把持される把持部１４と、液晶表示器１５ａが取り付けられる液晶部１５と、読取口１６ａが設けられる読取部１６とを備え、
　裏側ケース１２の反操作者側面（以下、裏面１２ａともいう）には、押圧操作される読取操作キーであるトリガーキー２１が設けられ、
　トリガーキー２１の把持部側部位２１ａは、装置本体１１を把持部１４の裏面１２ａを下方にして作業台等に置いたときにこの作業台等に接触しない程度に裏面１２ａから外方に突出するように形成され、装置本体１１を作業台等に置いたときのトリガーキー２１の誤操作を防止することができ、操作者は、トリガーキー２１をその把持部側部位２１ａに人差し指等を掛けた状態で押圧操作することができるので、トリガーキー２１の操作性を向上させることができ、
　トリガーキー２１の押圧操作に応じて装置本体１１に作用する押圧力の作用線上であって表側ケース１３の操作者側面（以下、表面１３ａともいう）には、円柱状の突出部３０が上方に突出するように形成され、この突出部３０の頂面３１の中央には、当該頂面３１から上方に突出するように凸部３２が形成され、
　また、表面１３ａ上であって、突出部３０の周辺や把持部１４には、読取対象の情報や当該光学的情報読取装置１０の操作に関する情報を入力可能な十字キー２２およびファンクションキー２３や数字情報を入力可能なテンキー２４等、情報を入力する際に操作される複数の情報入力キーが設けられ、
　装置本体１１の把持部１４を把持した操作者が、装置本体１１の裏面１２ａのトリガーキー２１を人差し指Ｆ１等で押圧操作する際に装置本体１１の表面１３ａの突出部３０を親指Ｆ２等で支えることにより、押圧操作により装置本体１１に作用する押圧力を、突出部３０を支える親指Ｆ２等で確実に受けることができ、特に、突出部３０は、同じ表面１３ａ上に設けられる十字キー２２およびファンクションキー２３等よりも高く形成されているので、突出部３０を支える親指Ｆ２等がこれら各キー２２，２３に触れることによる誤入力を確実に防止することができる、
光学的情報読取装置１０。」
３．引用文献３
（１）原査定の拒絶理由に引用された上記引用文献３には、図とともに次の事項が記載されている。
「【０００７】
　上述した課題を解決し、所期の目的を達成するための本発明にかかる
キーボード装置は、
前記制御キーは、前記カーソルキーとは異なる荷重変位特性に設定されている
【０００８】
　また、本発明のキーボード装置は、上記構成に加えて、前記各キーのキートップは、押下する際に操作者が押圧する面である操作面を有し、前記カーソルキーの操作面は、平面状もしくは凹曲面状に形成され、前記制御キーの操作面は、凸曲面状に形成されていることを特徴とする。
【０００９】
　また、本発明の
キーボード装置は、上記構成に加えて、前記制御キーは、前記カーソルキーのキーストロークと異なるキーストロークを有することを特徴とする。
「【００１１】
　また、本発明のキーボード装置は、上記構成に加えて、前記各キーは、前記操作面が形成されたキートップと、該キートップの下側に配設され、該キートップが押下された際に該キートップを復帰する方向に付勢する弾性部材と、前記キートップの押下移動及び復帰移動をガイドするガイド機構と、を有し、
前記制御キーのガイド機構は、前記カーソルキーのガイド機構とは異なる機構である
・・・中略・・・
【発明の効果】
【００１３】
　本発明によれば、カーソルキーと、該カーソルキーに隣接するように配設された制御キーと、を有しカーソルキーが押下された際には、情報処理機器の画面に表示されるカーソルを移動させる操作信号を出力し、制御キーが押下された際には、画面に表示される表示画像をスクロールさせる操作信号を出力するキーボード装置であって、制御キーは、カーソルキーとは異なる荷重変位特性に設定されているとともに、キートップがカーソルキーとは異なる表面形状に形成されている。従って、
制御キーとカーソルキーは、
押下した際の感触が異なる。即ち、制御キーとカーソルキーとを打ち間違いをした場合、その感触によって打ち間違いであることを認識することができる。
（２）上記記載からみて、引用文献３には、次の技術事項が記載されていると認められる。
「キーボード装置において、制御キーは、カーソルキーとは異なる荷重変位特性に設定されること、または、制御キーは、カーソルキーのキーストロークと異なるキーストロークを有すること、または、制御キーのガイド機構は、前記カーソルキーのガイド機構とは異なる機構であることにより、制御キーとカーソルキーは、押下した際の感触が異なる、即ち、制御キーとカーソルキーとを打ち間違いをした場合、その感触によって打ち間違いであることを認識することができること。」
第５　対比・判断
１．本願発明１について
（１）本願発明１と引用発明１との対比・判断
ア．対比
（ア）引用発明１は、「ユーザは、本体部１１の中心近傍の細くなった部分を、主として手のひらと中指、薬指、及び小指によって把持し、親指及び人差し指で、この中心近傍の部分と発光部１２の間の筒状の領域に配置された各ボタンを操作」するものであるから、引用発明１の「本体部１１の中心近傍の細くなった部分」は、本願発明１の「
盛上り部を有し、
（イ）引用発明１の「アナログボタン１５」は、「操作デバイス１０の背面側（すなわち、メインボタン１３が配置されている側と反対側）に、メインボタン１３と対向するように配置され、ユーザは、本体部１１の中心近傍の部分を把持して、メインボタン１３に親指を乗せるとともに、人差し指をこのアナログボタン１５に乗せ、親指と人差し指とは本体部１１を挟んで互いに向き合う状態になり、ユーザは、親指でメインボタン１３を、人差し指でアナログボタン１５を、それぞれ押下することによって操作入力を行」うものであるから、本願発明１の「端末本体の第１の面側に位置するように且つ
前記盛上り部における斜面から
（ウ）引用発明１の「メインボタン１３」は、操作デバイス１０の背面側と反対側の「操作デバイス１０の正面側において、ユーザが操作デバイス１０を手で把持する際に親指を置く位置に配置され」ているから、本願発明１の「前記第１の面に対して反対側に位置する前記端末本体の第２の面から少なくとも被押圧部が露出するように設けられ、前記把握態様でユーザが把握した手の母指によって操作可能な第２スイッチ部」に相当するといえる。
（エ）引用発明１の「操作デバイス１０」は、後述する相違点を除き、本願発明１の「携帯端末」に相当するといえる。
イ．そうしてみると、本願発明１と引用発明１には、以下の一致点と相違点が認められる。
（一致点）
「所定の把握態様でユーザの手により把握可能なグリップ部と、
　端末本体の第１の面側に位置するように且つ少なくとも被押圧部が露出するように設けられ、前記把握態様でユーザが前記グリップ部を把握した手の示指によって操作可能な第１スイッチ部と、
　前記第１の面に対して反対側に位置する前記端末本体の第２の面から少なくとも被押圧部が露出するように設けられ、前記把握態様でユーザが把握した手の母指によって操作可能な第２スイッチ部と、
を備えている、
　ことを特徴とする携帯端末。」
（相違点ａ１）
　本願発明１は、「所定の把握態様でユーザの手により把握可能なグリップ部」に「盛上り部を有し」ており、「第１スイッチ部」は、「前記盛上り部における斜面から少なくとも被押圧部が露出するように設けられ」、「前記第１スイッチ部における前記被押圧部が、前記斜面に対して同一面または凹んだ位置に露出するように配置されている」のに対し、引用発明１は、本体部１１は、「両端に張り出し部１１ａ及び１１ｂが形成」されているものの、「本体部１１の中心近傍の細くなった部分を、主として手のひらと中指、薬指、及び小指によって把持」するものであるから、「所定の把握態様でユーザの手により把握可能なグリップ部」に「盛上り部」を有するとはいえず、「アナログボタン１５」が、前記盛上り部における斜面から少なくとも被押圧部が露出するように設けられ、「アナログボタン１５」における前記被押圧部が、前記斜面に対して同一面または凹んだ位置に露出するように配置されている構成は特定されていない点。
（相違点ａ２）
　本願発明１は、「前記被押圧部に対して必要な操作力感が、前記第２スイッチ部よりも前記第１スイッチ部の方が大きくなるように設定されている」のに対し、引用発明１の「アナログボタン１５」は、「アナログボタン１５は、メインボタン１３と比較して可動範囲が大きくなっており、最後まで押し込むためにはメインボタン１３より大きなストローク量が必要になっている」ものの、「単にユーザがボタンを押しているか押していないかを示す二値の情報を出力するのではなく、ユーザがどの程度の量だけ当該ボタンを押し込んでいるかを検知し、この押し込み量を示す情報を出力可能になっていて、ユーザは、アナログボタン１５を浅く押さえたり深く押し込んだりすることによって、量的な情報を入力する」ものであり、操作力感について、メインボタン１３よりもアナログボタン１５の方が大きくなるように設定されていることは特定されていない点。
ウ．上記相違点について以下に検討する。
（ア）理由１（新規性）について
　上記相違点ａ１、相違点ａ２は、実質的な相違点であるから、本願発明１は引用文献１に記載された発明ではない。
（イ）理由２（進歩性）について
　事案に鑑みて、先ず相違点ａ２について検討する。
　引用文献３には、「キーボード装置において、制御キーは、カーソルキーとは異なる荷重変位特性に設定されること、または、制御キーは、カーソルキーのキーストロークと異なるキーストロークを有すること、または、制御キーのガイド機構は、前記カーソルキーのガイド機構とは異なる機構であることにより、制御キーとカーソルキーは、押下した際の感触が異なる、即ち、制御キーとカーソルキーとを打ち間違いをした場合、その感触によって打ち間違いであることを認識することができる。」という技術事項、即ち、スイッチ部間で被押圧部に対して必要な操作力感を違うものとすることで誤操作を防ぐことが記載されている。
　しかしながら、引用発明１は、「ボタンを凹部内においてその側面を形成する縁部と隣接するように配置したので、ユーザがボタン上に指を置いて操作デバイス１０を把持しても、ユーザが誤ってボタンを操作してしまわないようにする」ものであるから、引用発明１のメインボタン１３とアナログボタン１５に対して、上記引用文献３に記載された技術事項を適用する動機付けは認められない。
　また、上記相違点ａ２に係る本願発明１の構成は、上記引用文献２、３のいずれにも記載されておらず、示唆もされてもいない。
　そして、上記相違点ａ２に係る本願発明１の構成は、本願出願前において周知技術であったともいえない。
　したがって、上記相違点ａ１を検討するまでもなく、本願発明１は、当業者であっても、引用発明１および引用文献２、３記載の技術事項に基づいて容易に発明をすることができたとはいえない。
（２）本願発明１と引用発明２との対比・判断
ア．対比
（ア）引用発明２の「外装ケース１１」の「操作者に把持される把持部１４」は、本願発明１の「
盛上り部を有し、
（イ）引用発明２の「裏側ケース１２の反操作者側面（以下、裏面１２ａともいう）に」設けられた「押圧操作される読取操作キーであるトリガーキー２１」は、「操作者は、トリガーキー２１をその把持部側部位２１ａに人差し指等を掛けた状態で押圧操作することができる」から、本願発明１の「端末本体の第１の面側に位置するように且つ
前記盛上り部における斜面から
（ウ）引用発明２の「表面１３ａ上であって、突出部３０の周辺や把持部１４」に設けられた「十字キー２２およびファンクションキー２３や数字情報を入力可能なテンキー２４等、情報を入力する際に操作される複数の情報入力キー」は、親指Ｆ２で操作入力できることは明らかであるから、本願発明１の「前記第１の面に対して反対側に位置する前記端末本体の第２の面から少なくとも被押圧部が露出するように設けられ、前記把握態様でユーザが把握した手の母指によって操作可能な第２スイッチ部」に相当するといえる。
（エ）引用発明２の「光学的情報読取装置１０」は、後述する相違点を除き、本願発明１の「携帯端末」に相当するといえる。
イ．そうしてみると、本願発明１と引用発明２には、以下の一致点と相違点が認められる。
（一致点）
「所定の把握態様でユーザの手により把握可能なグリップ部と、
　端末本体の第１の面側に位置するように且つ少なくとも被押圧部が露出するように設けられ、前記把握態様でユーザが前記グリップ部を把握した手の示指によって操作可能な第１スイッチ部と、
　前記第１の面に対して反対側に位置する前記端末本体の第２の面から少なくとも被押圧部が露出するように設けられ、前記把握態様でユーザが把握した手の母指によって操作可能な第２スイッチ部と、
を備える、
　ことを特徴とする携帯端末。」
（相違点ｂ１）
　本願発明１は、「所定の把握態様でユーザの手により把握可能なグリップ部」に「盛上り部を有し」ており、「第１スイッチ部」は、「前記盛上り部における斜面から少なくとも被押圧部が露出するように設けられ」、「前記第１スイッチ部における前記被押圧部が、前記斜面に対して同一面または凹んだ位置に露出するように配置されている」のに対し、引用発明２は、「トリガーキー２１の把持部側部位２１ａは、装置本体１１を把持部１４の裏面１２ａを下方にして作業台等に置いたときにこの作業台等に接触しない程度に裏面１２ａから外方に突出するように形成されている」ものの、「所定の把握態様でユーザの手により把握可能なグリップ部」に「盛上り部」を有するとはいえず、「トリガーキー２１」が、前記盛上り部における斜面から少なくとも被押圧部が露出するように設けられ、「トリガーキー２１」における前記被押圧部が、前記斜面に対して同一面または凹んだ位置に露出するように配置されている構成は特定されていない点。
（相違点ｂ２）
　本願発明１は、「前記被押圧部に対して必要な操作力感が、前記第２スイッチ部よりも前記第１スイッチ部の方が大きくなるように設定されている」のに対し、引用発明２は、操作力感について、十字キー２２およびファンクションキー２３や数字情報を入力可能なテンキー２４よりもトリガーキー２１の方が大きくなるように設定されていることは特定されていない点。
ウ．上記相違点について以下に検討する。
（ア）理由１（新規性）について
　上記相違点ｂ１、相違点ｂ２は、実質的な相違点であるから、本願発明１は引用文献２に記載された発明ではない。
（イ）理由２（進歩性）について
　事案に鑑みて、先ず相違点ｂ２について検討する。
　引用文献３には、「キーボード装置において、制御キーは、カーソルキーとは異なる荷重変位特性に設定されること、または、制御キーは、カーソルキーのキーストロークと異なるキーストロークを有すること、または、制御キーのガイド機構は、前記カーソルキーのガイド機構とは異なる機構であることにより、制御キーとカーソルキーは、押下した際の感触が異なる、即ち、制御キーとカーソルキーとを打ち間違いをした場合、その感触によって打ち間違いであることを認識することができる。」という技術事項、即ち、スイッチ部間で被押圧部に対して必要な操作力感を違うものとすることで誤操作を防ぐことが記載されている。
　しかしながら、引用発明２は、「装置本体１１の裏面１２ａのトリガーキー２１を人差し指Ｆ１等で押圧操作する際に装置本体１１の表面１３ａの突出部３０を親指Ｆ２等で支えることにより、押圧操作により装置本体１１に作用する押圧力を、突出部３０を支える親指Ｆ２等で確実に受けることができ、特に、突出部３０は、同じ表面１３ａ上に設けられる十字キー２２およびファンクションキー２３等よりも高く形成されているので、突出部３０を支える親指Ｆ２等がこれら各キー２２，２３に触れることによる誤入力を確実に防止することができる」ようにしたものであるから、引用発明２の十字キー２２およびファンクションキー２３や数字情報を入力可能なテンキー２４とトリガーキー２１に対して、上記引用文献３に記載された技術事項を適用する動機付けは認められない。
　また、上記相違点ｂ２に係る本願発明１の構成は、上記引用文献１、３のいずれにも記載されておらず、示唆もされてもいない。
　そして、上記相違点ｂ２に係る本願発明１の構成は、本願出願前において周知技術であったともいえない。
　したがって、上記相違点ｂ１を検討するまでもなく、本願発明１は、当業者であっても、引用発明２および引用文献１、３記載の技術事項に基づいて容易に発明をすることができたとはいえない。
２．本願発明３について
（１）本願発明３と引用発明１との対比・判断
ア．対比
（ア）引用発明１は、「ユーザは、本体部１１の中心近傍の細くなった部分を、主として手のひらと中指、薬指、及び小指によって把持し、親指及び人差し指で、この中心近傍の部分と発光部１２の間の筒状の領域に配置された各ボタンを操作」するものであるから、引用発明１の「本体部１１の中心近傍の細くなった部分」は、本願発明３の「ユーザが一方の手の母指を当該端末本体の表面に被せ当該端末本体の脇側から延ばした少なくとも示指と中指とで当該端末本体の裏面を支えるような把握態様で、前記一方の手により把握可能なグリップ部」に相当するといえる。
（イ）引用発明１の「アナログボタン１５」は、「操作デバイス１０の背面側（すなわち、メインボタン１３が配置されている側と反対側）に、メインボタン１３と対向するように配置され、ユーザは、本体部１１の中心近傍の部分を把持して、メインボタン１３に親指を乗せるとともに、人差し指をこのアナログボタン１５に乗せ、親指と人差し指とは本体部１１を挟んで互いに向き合う状態になり、ユーザは、親指でメインボタン１３を、人差し指でアナログボタン１５を、それぞれ押下することによって操作入力を行」うものであるから、本願発明３の「前記裏面
に設けられた盛上り部の斜面
（ウ）引用発明１の凹部１４の周囲に、メインボタン１３を取り囲むように配置された「４個の補助ボタン１６ａ〜１６ｄ」は、本願発明３の「端末本体の表面から少なくとも被押圧部が露出するように、前記端末本体の表面に」設けられた「複数の表面スイッチ部」に相当するといえる。
（エ）引用発明１の「操作デバイス１０」は、後述する相違点を除き、本願発明３の「携帯端末」に相当するといえる。
イ．そうしてみると、本願発明３と引用発明１には、以下の一致点と相違点が認められる。
（一致点）
「端末本体の表面から少なくとも被押圧部が露出するように、前記端末本体の表面に複数の表面スイッチ部が設けられた携帯端末であって、
　ユーザが一方の手の母指を当該端末本体の表面に被せ当該端末本体の脇側から延ばした少なくとも示指と中指とで当該端末本体の裏面を支えるような把握態様で、前記一方の手により把握可能なグリップ部と、
　前記裏面から被押圧部が露出するように設けられ、前記把握態様のときに前記一方の手の示指によって操作可能な下面スイッチ部と、
を備える、
　ことを特徴とする携帯端末。」
（相違点ｃ１）
　本願発明３では、「下面スイッチ部」は、「前記裏面に設けられた盛上り部の斜面から被押圧部が露出するように設けられ」、「前記下面スイッチ部における前記被押圧部が、前記斜面に対して同一面または凹んだ位置に露出するように配置されている」のに対し、引用発明１は、アナログボタン１５が、前記裏面に設けられた盛上り部の斜面から被押圧部が露出するように設けられ、アナログボタン１５における前記被押圧部が、前記斜面に対して同一面または凹んだ位置に露出するように配置されている構成は特定されていない点。
（相違点ｃ２）
　本願発明３は、「前記被押圧部に対して必要な操作力感が、前記複数の表面スイッチ部のそれぞれよりも前記下面スイッチ部の方が大きくなるように設定されて」いるのに対し、引用発明１の「アナログボタン１５」は、「単にユーザがボタンを押しているか押していないかを示す二値の情報を出力するのではなく、ユーザがどの程度の量だけ当該ボタンを押し込んでいるかを検知し、この押し込み量を示す情報を出力可能になっていて、ユーザは、アナログボタン１５を浅く押さえたり深く押し込んだりすることによって、量的な情報を入力する」ものであり、操作力感について、メインボタン１３を取り囲むように配置された「４個の補助ボタン１６ａ〜１６ｄ」よりもアナログボタン１５の方が大きくなるように設定されていることは特定されていない点。
ウ．上記相違点について以下に検討する。
　事案に鑑みて、先ず相違点ｃ２について検討する。
　引用文献３には、「キーボード装置において、制御キーは、カーソルキーとは異なる荷重変位特性に設定されること、または、制御キーは、カーソルキーのキーストロークと異なるキーストロークを有すること、または、制御キーのガイド機構は、前記カーソルキーのガイド機構とは異なる機構であることにより、制御キーとカーソルキーは、押下した際の感触が異なる、即ち、制御キーとカーソルキーとを打ち間違いをした場合、その感触によって打ち間違いであることを認識することができる。」という技術事項、即ち、スイッチ部間で被押圧部に対して必要な操作力感を違うものとすることで誤操作を防ぐことが記載されている。
　しかしながら、引用発明１は、「ボタンを凹部内においてその側面を形成する縁部と隣接するように配置したので、ユーザがボタン上に指を置いて操作デバイス１０を把持しても、ユーザが誤ってボタンを操作してしまわないようにする」ものであるから、引用発明１のメインボタン１３とアナログボタン１５に対して、上記引用文献３に記載された技術事項を適用する動機付けは認められない。
　また、上記相違点ｃ２に係る本願発明３の構成は、上記引用文献２、３のいずれにも記載されておらず、示唆もされてもいない。
　そして、上記相違点ｃ２に係る本願発明３の構成は、本願出願前において周知技術であったともいえない。
　したがって、上記相違点ｃ１を検討するまでもなく、本願発明３は、当業者であっても、引用発明１および引用文献２、３記載の技術事項に基づいて容易に発明をすることができたとはいえない。
（２）本願発明３と引用発明２との対比・判断
ア．対比
（ア）引用発明２の「外装ケース１１」の「操作者に把持される把持部１４」は、本願発明３の「ユーザが一方の手の母指を当該端末本体の表面に被せ当該端末本体の脇側から延ばした少なくとも示指と中指とで当該端末本体の裏面を支えるような把握態様で、前記一方の手により把握可能なグリップ部」に相当するといえる。
（イ）引用発明２の「裏側ケース１２の反操作者側面（以下、裏面１２ａともいう）に」設けられた「押圧操作される読取操作キーであるトリガーキー２１」は、「操作者は、トリガーキー２１をその把持部側部位２１ａに人差し指等を掛けた状態で押圧操作することができる」から、本願発明３の「前記裏面
に設けられた盛上り部の斜面
（ウ）引用発明２の「表面１３ａ上であって、突出部３０の周辺や把持部１４」に設けられた「十字キー２２およびファンクションキー２３や数字情報を入力可能なテンキー２４等、情報を入力する際に操作される複数の情報入力キー」は、本願発明３の「端末本体の表面から少なくとも被押圧部が露出するように、前記端末本体の表面に」設けられた「複数の表面スイッチ部」に相当するといえる。
（エ）引用発明２の「光学的情報読取装置１０」は、後述する相違点を除き、本願発明３の「携帯端末」に相当するといえる。
イ．そうしてみると、本願発明３と引用発明２には、以下の一致点と相違点が認められる。
（一致点）
「端末本体の表面から少なくとも被押圧部が露出するように、前記端末本体の表面に複数の表面スイッチ部が設けられた携帯端末であって、
　ユーザが一方の手の母指を当該端末本体の表面に被せ当該端末本体の脇側から延ばした少なくとも示指と中指とで当該端末本体の裏面を支えるような把握態様で、前記一方の手により把握可能なグリップ部と、
　前記裏面から被押圧部が露出するように設けられ、前記把握態様のときに前記一方の手の示指によって操作可能な下面スイッチ部と、
を備える、
　ことを特徴とする携帯端末。」
（相違点ｄ１）
　本願発明３では、「下面スイッチ部」は、「前記裏面に設けられた盛上り部の斜面から被押圧部が露出するように設けられ」、「前記下面スイッチ部における前記被押圧部が、前記斜面に対して同一面または凹んだ位置に露出するように配置されている」のに対し、引用発明２は、「トリガーキー２１の把持部側部位２１ａは、装置本体１１を把持部１４の裏面１２ａを下方にして作業台等に置いたときにこの作業台等に接触しない程度に裏面１２ａから外方に突出するように形成されている」ものの、「トリガーキー２１」が、裏面１２ａに設けられた盛上り部の斜面から被押圧部が露出するように設けられ、「トリガーキー２１」における前記被押圧部が、前記斜面に対して同一面または凹んだ位置に露出するように配置されている構成は特定されていない点。
（相違点ｄ２）
　本願発明３は、「前記被押圧部に対して必要な操作力感が、前記複数の表面スイッチ部のそれぞれよりも前記下面スイッチ部の方が大きくなるように設定されて」いるのに対し、引用発明２は、操作力感について、十字キー２２およびファンクションキー２３や数字情報を入力可能なテンキー２４よりもトリガーキー２１の方が大きくなるように設定されていることは特定されていない点。
ウ．上記相違点について以下に検討する。
（ア）理由１（新規性）について
　上記相違点ｄ１、相違点ｄ２は、実質的な相違点であるから、本願発明３は引用文献２に記載された発明ではない。
（イ）理由２（進歩性）について
　事案に鑑みて、先ず相違点ｄ２について検討する。
　引用文献３には、「キーボード装置において、制御キーは、カーソルキーとは異なる荷重変位特性に設定されること、または、制御キーは、カーソルキーのキーストロークと異なるキーストロークを有すること、または、制御キーのガイド機構は、前記カーソルキーのガイド機構とは異なる機構であることにより、制御キーとカーソルキーは、押下した際の感触が異なる、即ち、制御キーとカーソルキーとを打ち間違いをした場合、その感触によって打ち間違いであることを認識することができる。」という技術事項、即ち、スイッチ部間で被押圧部に対して必要な操作力感を違うものとすることで誤操作を防ぐことが記載されている。
　しかしながら、引用発明２は、「装置本体１１の裏面１２ａのトリガーキー２１を人差し指Ｆ１等で押圧操作する際に装置本体１１の表面１３ａの突出部３０を親指Ｆ２等で支えることにより、押圧操作により装置本体１１に作用する押圧力を、突出部３０を支える親指Ｆ２等で確実に受けることができ、特に、突出部３０は、同じ表面１３ａ上に設けられる十字キー２２およびファンクションキー２３等よりも高く形成されているので、突出部３０を支える親指Ｆ２等がこれら各キー２２，２３に触れることによる誤入力を確実に防止する」ようにしたものであるから、引用発明２の十字キー２２およびファンクションキー２３や数字情報を入力可能なテンキー２４とトリガーキー２１に対して、上記引用文献３に記載された技術事項を適用する動機付けは認められない。
　また、上記相違点ｄ２に係る本願発明３の構成は、上記引用文献１、３のいずれにも記載されておらず、示唆もされてもいない。
　そして、上記相違点ｄ２に係る本願発明３の構成は、本願出願前において周知技術であったともいえない。
　したがって、上記相違点ｄ１を検討するまでもなく、本願発明３は、当業者であっても、引用発明２および引用文献１、３記載の技術事項に基づいて容易に発明をすることができたとはいえない。
３．本願発明２について
　請求項２は、請求項１を引用する請求項であるから、本願発明２は、本願発明１の「前記被押圧部に対して必要な操作力感が、前記第２スイッチ部よりも前記第１スイッチ部の方が大きくなるように設定されて」いるとの構成と同一の構成を備えるものである。
　よって、本願発明２は、本願発明１と同じ理由により、当業者であっても、引用発明１および引用文献２、３記載の技術事項に基づいて容易に発明できたものとはいえない。また、本願発明２は、本願発明１と同じ理由により、当業者であっても、引用発明２および引用文献１、３記載の技術事項に基づいて容易に発明できたものとはいえない。
４．本願発明４−６について
　請求項４−６は、請求項１または請求項３を直接または間接的に引用する請求項であるから、本願発明４−６は、本願発明１の「前記被押圧部に対して必要な操作力感が、前記第２スイッチ部よりも前記第１スイッチ部の方が大きくなるように設定されて」いるとの構成と同一の構成を備えるものであるか、または、本願発明３の「前記被押圧部に対して必要な操作力感が、前記複数の表面スイッチ部のそれぞれよりも前記下面スイッチ部の方が大きくなるように設定されて」いるとの構成と同一の構成を備えるものである。
　よって、本願発明４−６は、本願発明１または本願発明３と同じ理由により、当業者であっても、引用発明１または引用発明２および引用文献３に記載された技術事項に基づいて容易に発明できたものとはいえない。
第６　むすび
　以上のとおり、原査定の理由によっては、本願を拒絶することはできない。
　また、他に本願を拒絶すべき理由を発見しない。
　よって、結論のとおり審決する。